(57)【要約】【課題】  ＥＬディスプレイ用インバータの多くは、コンデンサであるＥＬディスプレイとコイルの直列共振方式であり、従来はＥＬディスプレイの靜電容量毎に適合するインバータを必要とした。かようなことからＥＬディスプレイの靜電容量の多様化に対応する、適応性の高いＥＬインバータを提供する。【解決手段】  コイルを使わず、印加交流電圧で直接制御する方法をとらず、交流電流制御方式をとした。発振した基準電流信号周波数および基準電流波形と、ＥＬディスプレイに印加される電流周波数および電流波形とが、前記基準と同一になるように閉ループ制御し、前記ＥＬディスプレイ印加電流を制御することによって、結果として９０度位相遅れの適正な交流電圧がＥＬディスプレイにかかる方式を提供した。適応性が高くＥＬディスプレイの多様化に対応できる。【選択図】            図１
2005063924.tif 000002
【特許請求の範囲】
【請求項１】
ＥＬディスプレイに交流電力を印加する非誘導牲ＥＬインバータの回路において、
発振器でＥＬディスプレイに流す基準信号電流周波数および基準電流波形を発生させ、
差動アンプによって、前記基準信号電流周波数および前記基準電流波形と、前記ＥＬディスプレイの信号電流周波数および電流波形とを比較し、その差信号を出力し、
しかして、前記非誘導性ＥＬインバータの回路において、
前記差動アンプでは前記差信号に基づいて、前記ＥＬディスプレイの靜電容量を含めた前記ＥＬインバータ全体の閉ループ制御によって、
前記ＥＬディスプレイに交流電力が印加されることを特徴とする、非誘導性ＥＬインバータ。
【請求項２】
非誘導性ＥＬインバータの回路において、前記差動アンプからの前記差信号の絶対値化のための整流回路、電流可変電源、極性転換スイッチ、および極性転換スイッチ作動のためのオン・オフタイミング発生回路を備えていることを特徴とする、請求項１に記載する非誘導性ＥＬインバータ。
【請求項３】
非誘導性ＥＬインバータの回路において、前記差動アンプからの前記差信号の絶対値化のための前記整流回路部分、前記電流可変電源部分、前記極性転換スイッチ部分、および前記オン・オフタイミング発生回路部分の各機能について、
前記各機能を高圧正負両電源を出力できる電源を付加した差動アンプで行うことを特徴とする、請求項１に記載する非誘導性ＥＬインバータ。
【請求項４】
非誘導性ＥＬインバータの回路において、前記ＥＬディスプレイへの印加電圧を検出し、その信号レベルで、前記発振器の出力電圧を制御することによって、
前記ＥＬディスプレイへの印加電圧を一定に保つことを特徴とする、請求項１、２、および３に記載する非誘導性ＥＬインバータ。
【発明の詳細な説明】
【技術分野】
【０００１】  本発明は、ＥＬ（電界発光；Ｅｌｅｃｔｒｏｌｕｍｉｎｅｓｃｅｎｃｅ）ディスプレイ用の、ドライバーとも呼ばれるインバータに関する。
【背景技術】
【０００２】  ＥＬとは、半導体、主として蛍光体に電場を加えたときに発光する現象をいう。
ＥＬは、電界印加により少数キャリアの注入で起こる、ＬＥＤ（発光ダイオード；Ｌｉｇｈｔ  Ｅｍｉｔｔｉｎｇ  Ｄｉｏｄｅ）の発光の如き注入型ＥＬと、キャリアの注入を伴わない真性ＥＬとがあるが、単にＥＬと称せば真性ＥＬを指し、本発明では真性ＥＬを対象とし、本発明においてはこれをＥＬと称する。
ＥＬ現象を利用した平面的発光体が薄膜ＥＬで、ガラス基板や透明な有機フィルム上に塗布した蛍光体に電場を加えて発光させる平面・自発光型で、情報表示用や広告用などに用いられるＥＬディスプレイと、液晶ディスプレイのバックライト用などに用いられる分散型ＥＬとがある。【０００３】  前記ＥＬディスプレイの断面構造は、片側から順に透明電極、絶縁層、発光層、絶縁層、透明電極という順の積層薄膜であり、さらに両最外層にガラス基盤や合成樹脂膜などの透明保護材を積層するのが普通である。
ＥＬディスプレイの発光の原理は、絶縁層と発光層との界面には格子不整合や格子欠陥などに起因する界面準位が生じており、これにトラップされていた電子は、高電界のためトンネル効果などを通じて発光体の伝導帯に放出され、発光中心の原子と衝突し、この結果、発光中心は高エネルギ状態に励起され、これが基底状態に戻るときに発光する。
前記絶縁層は前記発光層の絶縁破壊を防ぐと共に、前記発光層に安定な電界を印加できるようにする機能を持つ。【０００４】  したがって、ＥＬディスプレイの電気的特性はコンデンサ（キャパシタンス）の特性で、種類やサイズによっては、数μＦ（マイクロ・ファラッド）程度の靜電容量がある。
定電界の印加の場合、電子は他方の絶縁層付近にたまって分極を形成し、電界を弱めるように働く。
このとき逆極性の電界を印加すると、分極によって発光層に加えられる電界が強められるので、この作用を利用して交流印加法が用いられる。
したがって、使用するＥＬに適合する特性の印加電力を得るために、ＥＬディスプレイ用インバータが必要になる。【０００５】  交流印加法では、周波数において数百Ｈｚ（ヘルツ）から、数ｋＨｚを印加して発光させる。
一般に、直流電源から、交流を得る装置をインバータ（逆変換装置）というが、市中に配電された交流電源使用の場合でも、一旦整流し直流としてからそのＥＬに適合する特性の交流電力を得るのが普通であるゆえ、ＥＬディスプレイ用インバータ（以降、単にＥＬインバータと称する）という。【０００６】  半導体のみからなる如きインバータの交流出力を、ＥＬディスプレイに接続すると、前記インバータの出力を短絡させるのに等しく、前記インバータは、オーバーロード状態となるにも拘らず、ＥＬディスプレイの電極間に電界は殆ど生じなく電圧が印加されずに発光しない。【０００７】
【特許文献１】特開２０００−１９４３２２
【特許文献２】特開平８−１５３５８５  なお、引用文献などの説明においては、前記引用文献などに使われている表現をそのまま用いる。
【０００８】  「特許文献１」について。「特許文献１」は、発光効率が高く、且つコストを低下させたＥＬドライバに関する開示である。
「特許文献１」の段落番号「０００８」に、次の開示がある。
すなわち、「本発明ドライバ回路においては、ＥＬパネルとコイルとを直列接続させて直列共振回路を構成しており、そめ直列共振回路を正帰還経路によってプッシュプルドライバへ接続し、全体として基本的に発振回路を構成していることを特徴としている。
この様に、ＥＬパネルとコイルとの直列共振回路を構成することによって、ＥＬパネルに印加される駆動信号はノイズのない正弦波の形状をした交流信号であって、高い効率でＥＬパネルを発光させることが可能であることが判明した」との開示がある。【０００９】  「特許文献２」について。「特許文献２」は、ＥＬの経時変化に伴って生じる靜電容量の低下による輝度の低下を防止し、ＥＬの面積の拡大に応じた輝度の制御を行うことに関する開示である。
「特許文献２」の段落番号「０００６」に、「スイッチング型インバータからなる矩形波発生器を駆動電源とし、該駆動電源にリアクトルＬを介してエレクトロ・ルミネッセンスＥＬ（靜電容量ＣＥＬ）を直列接続したＥＬ駆動装置において、前記駆動電源の周波数ｆｏｓｃを、前記ＥＬの経時変化後の靜電容量Ｃ２と前記リアクトルＬとの直列共振周波数ｆ２に一致または近づけたものである」との開示がある。
また、「特許文献２」の段落番号「０００７」に、次の開示がある。
「更に、同じく、本発明は、パルス幅変調型矩形波発生器からなる駆動電源にリアクトルＬを介してエレクトロ・ルミネッセンスＥＬ（靜電容量ＣＥＬ）を直列接続したＥＬ駆動装置において、該ＥＬに流れる電流の変化による電流検出抵抗の電圧変化を検出し、該電圧変化量を該駆動電源の矩形波のパルス幅を制御する制御回路の入力部にフィードバックし、該駆動電流の減少に応じて該電源の出力である矩形波の幅を拡大するように制御したものである」との開示がある。【００１０】  「特許文献１」、および「特許文献２」には、ＥＬディスプレイに直列にコイル（インダクタンス）を挿入して直列共振回路を形成し、前記直列共振回路をベースにしてＥＬインバータとする開示がなされている。
コイルに代え出力にトランスを用いて、前記トランスのコイル特性を利用し、直列共振回路を形成する方法でも同様な共振回路を形成することができる。
それぞれ固有の靜電容量をもつＥＬディスプレイには、その各々ＥＬディスプレイに適合する固有の周波数と架電圧の設定がある。
したがって、ある靜電容量のＥＬディスプレイには、その靜電容量に適合した特性のコイルを使用しなければならない。【００１１】  前記直列共振回路において、ＥＬディスプレイ靜電容量に適合した周波数発振方式には、自励式発振回路法と他励式発振回路法とがある。
自励発振回路法の場合、使用するＥＬディスプレイの靜電容量を利用するので、同一のＥＬインバータで、異なる靜電容量のＥＬディスプレイに対応する場合でも、適合周波数から大きくずれることはない。【００１２】  図６は、従来の自励式ＥＬインバータ回路の一例で、そのブロック線図の略図である。
図６において、トランス７２の主コイル７４に電流が流れると、補助コイル７５に同相の信号が発生する。これを増幅器７３に戻すことによって、正帰還となって発振する。
発振周波数は二次コイル７６とＥＬディスプレイ１の靜電容量の直列共振周波数となる。
この二次コイル７６と、ＥＬディスプレイ１の靜電容量との直列共振周波数が、目的の発振周波数になるように二次コイル７６のインダクタンスに設定する必要がある。【００１３】  したがって、使用するＥＬディスプレイの靜電容量が大きく変わるときには、ＥＬディスプレイの靜電容量に応じたインダクタンスをもつコイルを使用しなければならない。
この場合、前記コイルはＥＬインバータに内蔵しているゆえ、各々ＥＬディスプレイの靜電容量毎に、これに適合するＥＬインバータを持たねばならないことになる。【００１４】  他励発振回路法では、適合する周波数を別な回路で作って出力し、使用するＥＬディスプレイに印加する方法である。
他励発振回路法の場合、同一のＥＬインバータで、異なる靜電容量のＥＬディスプレイに対応する場合は、使用するＥＬディスプレイの靜電容量が変わったときには、電力損失が大きく、輝度が著しく変化して前記インバータを使用することができなくなることがある。
したがって、使用するＥＬディスプレイの靜電容量毎に、これに適合するＥＬインバータを持たねばならないことになる。
かようなことから、比較的寛容度が高い、前記自励式発振回路法によるＥＬインバータが採用されることが多いのが現状である
【発明の開示】
【発明が解決しようとする課題】
【００１５】  従来の直列共振回路を用いたＥＬインバータには、自励式発振回路法と他励式発振回路法とがあるものの、両者とも上記述べた如く問題点があるのが現状である。
かようなことから、靜電容量の大きく異なる多様なＥＬディスプレイを、同一のＥＬインバータで、高い効率下で使うことができることが望まれている。
また、全面発光と幾つかの部分発光とを時間的に繰り返す如き、靜電容量が刻々と大きく変化するＥＬディスプレイなどを、高い効率下で同一のＥＬインバータを使うことができることが望まれている。
本発明は、上記従来の課題を考慮して、従来のコイル・コンデンサの直列共振方式では得られなかった、ＥＬディスプレイの靜電容量の多様化に対応する、適応性の高いＥＬインバータを提供することを目的とする。
【課題を解決するための手段】
【００１６】  ＥＬディスプレイは、コンデンサであり絶縁物であるから電流は流れず、交流電圧を印加した場合、極性が反転するとコンデンサの前の滞留電荷と相殺するように働き、これが繰り返されて、外部から見ると交流電流が流れているように見えるだけである。
一方、ＥＬディスプレイは、発光層を夾む絶縁層の外側からの透明電極に交流電圧の印加による電界起生で発光する。【００１７】  発明者らは、前記課題を達成すべく鋭意検討の結果、印加交流電圧で直接制御する方法でなく、インダクタンスを持つコイルを使わずに交流電流で制御する考えに至った。
すなわち、コンデンサであるＥＬディスプレイに、前記ディスプレイに適合する目標印加交流電圧になるように交流電流を流し、結果的に９０度位相遅れの適正な交流電圧がＥＬディスプレイにかかるという考え方の、印加交流電流の周波数の制御法を採用するという考えに至った。【００１８】  図１は、本発明の非誘導性ＥＬインバータの回路のブロック線図である。
前記非誘導性ＥＬインバータの回路において、図１に示すように、ＥＬディスプレイ１に流す基準信号電流周波数および基準電流波形を発生させる発振器１３を備え、前記基準信号電流周波数および基準電流波形と、前記ＥＬディスプレイ１の電流周波数および電流波形とを比較し、その差信号を出力する差動アンプ（Ａ）１１と、差動アンプ（Ｂ）１２を備える。
しかして、差動アンプ（Ａ）１１および差動アンプ（Ｂ）１２では、ＥＬディスプレイ１の靜電容量を含めたＥＬインバータ全体の閉ループ制御によって、ＥＬディスプレイに印加される電源装置の電流周波数および電流波形が、基準信号電流周波数および基準電流波形と同一になるように、ＥＬディスプレイ印加電流を制御し、結果として９０度位相遅れの適正な交流電圧がＥＬディスプレイにかかることを特徴とする、非誘導性ＥＬインバータの発明に至った。【００１９】  加えて、発振器１３からの絶対値化のための整流回路１０、電流可変電源９、極性転換のスイッチ、およびスイッチＳＷ１〜ＳＷ４作動のためのオン・オフタイミング発生回路１４を備えていることを特徴とする、非誘導性ＥＬインバータの発明である。【００２０】  さらに、発振器１３の前記差信号の絶対値化のための整流回路１０、電流可変電源９、極性転換のスイッチ、およびオン・オフタイミング発生回路１４の機能について、前記機能を高圧正負両電源を付加した電力増幅器で行うことを特徴とする、非誘導性ＥＬインバータの発明である。【００２１】  加えて、ＥＬディスプレイ１への印加電圧を検出し、その信号レベルで、発振器１３の出力電圧を制御することによって、ＥＬディスプレイ１への印加電圧を一定に保つことを特徴とする、非誘導性ＥＬインバータの発明である。
【発明の効果】
【００２２】  （１）  ＥＬディスプレイの靜電容量が変化しても、前記ＥＬディスプレイに常に適正な周波数と波形の電力を供給できる。
（２）  出力電流は、出力側からのフィードバック信号によって制御する別回路で、非インダクタンス方式で作り出すゆえ、ＥＬディスプレイの靜電容量には影響されず、最も適合する電流周波数や電流波形が得られ、その電力は殆どＥＬディスプレイに電界として作用する。
したがって、靜電容量の異なる任意のＥＬディスプレイについて、無効電力をほぼ最小に抑えることができる。
（３）  本発明のＥＬインバータは、インダクタンス機能を担うコイルやトランスなどを一切用いない。したがって、重量において極めて軽量で、容積の小さなＥＬインバータとすることができる。
【発明を実施するための最良の形態】
【００２３】  本発明の実施の形態を、実施例にもとづき図面を参照して説明する。
図１は、本発明のＥＬインバータの回路を示すブロック線図の一例である。
なお、図１においては、半導体電力変換素子は各種の半導体素子が考えられるので、前記半導体電力変換素子の部分をスイッチ記号ＳＷ１〜ＳＷ４で示している。
図１において、発振器１３で、ＥＬディスプレイ１に流す基準信号電流周波数および基準電流波形の信号を発生させ、差動アンプ（Ａ）１１、および差動アンプ（Ｂ）１２に入力する。
同時に、電流検出抵抗７で前記ＥＬディスプレイ回路に流れる電流を電圧信号に変換する。このとき、電流検出抵抗７にはＥＬディスプレイに流れた電流に、電流検出抵抗値を乗じた電圧が検出電圧として発生する。
この信号を差動アンプ（Ａ）１１および差動アンプ（Ｂ）１２にフィードバックする。【００２４】  差動アンプ（Ａ）１１および差動アンプ（Ｂ）１２は、前記ＥＬディスプレイ１の信号電流周波数および電流波形と、発振器１３の基準信号電流周波数および基準電流波形を整流回路１０で絶対値化した信号とを比較し、その差信号を出力する。
別の入力電源としての電流可変電源９は、前記差信号にしたがって、制御してスイッチング電源方式で電流出力し、前記ＥＬディスプレイ１を含むＨ形ブリッジ回路１９に電流を供給する。
一方、発振器１３からの基準信号電流周波数および基準電流波形に基づいて、オン・オフタイミング発生回路１４で、Ｈ形ブリッジ回路１９のスイッチＳＷ１、ＳＷ２、ＳＷ３、ＳＷ４の切替え信号を発生させ、スイッチＳＷ１〜ＳＷ４に前記信号を送る。【００２５】  かようにして、差動アンプ（Ａ）１１および差動アンプ（Ｂ）１２では、ＥＬディスプレイ１の靜電容量を含めたＥＬインバータ全体の閉ループ制御によって、ＥＬディスプレイに印加される電流周波数と電流波形が、基準信号電流周波数および基準電流波形と同一になるように制御され、結果として９０度位相が遅れた適正な交流電圧がＥＬディスプレイ１にかかる。
ここで、基準信号電流周波数および基準電流波形は、ＥＬディスプレイに流れる電流が適正な値となるように、適正にＥＬディスプレイを発光させたときの電流検出抵抗７の電圧信号レベルと同一の電圧レベルとする。
これにより、ＥＬディスプレイに流れる電流の周波数および波形が、基準信号電流周波数および基準電流波形と同一で適正な電流値および電圧値の出力が得られる。【００２６】  Ｈ形ブリッジ回路１９のスイッチＳＷ１〜ＳＷ４は、実際には半導体素子を用いる。
前記半導体素子としては、ＦＥＴ（電界効果トランジスタ；Ｆｅｌｄ  Ｅｆｆｅｃｔ  Ｔｒａｎｓｉｓｔｏｒ）、ＩＧＢＴ（Ｉｎｓｕｌａｔｅｄ  Ｇａｔｅ  Ｂｉｐｏｌａｒ  Ｔｒａｎｓｉｓｔｏｒ）、ベース・エミッタ間の電流を断続することにより、コレクタ・エミッタ間の電流をオン・オフできるトランジスタの使用などが適用できる。
なお、前記ＦＥＴは、ソース・ドレイン間に電圧をかけた状態でゲート・ソース間に正の電圧を印加すると電流が流れる半導体素子であり、前記ＩＧＢＴはゲート電圧を正にしたり、負にしたりすることで電流のオン・オフ制御ができる半導体素子である。【００２７】  以上説明した図１の構成は、装置全体として効率をよくし、低消費電力、小型化、軽量化を実現するためのものである。
しかしながら、ＥＬインバータの低コスト化を優先する場合には、図２に示す如き回路とすることによりコストの低減化がはかれる。
図１において、差信号の絶対値化のための整流回路１０、電流可変電源９、スイッチＳＷ１〜ＳＷ４、およびスイッチ動作のためのオン・オフタイミング発生回路１４の機能を以下のようにする。
すなわち、図２に示す回路のブロック線図においては、前記機能を高圧正負両電源３０と、差信号を差動アンプ３１を経て電力増幅する電力増幅器３２とにおき換える。【００２８】  このように、本発明のＥＬインバータの回路構成は、インダクタンスであるコイルを使わずに、電流制御によりＥＬディスプレイを発光させる回路であ。
しかしながら、使用するＥＬディスプレイの靜電容量が大きく変わる場合は、ＥＬディスプレイへの印加電圧が変化する。【００２９】  かような場合には、図３に示す如く、ＥＬディスプレイの入力両端子より電流制限抵抗４５を通し、整流器４６で整流した出力を、フォトカップラのＬＥＤ側４８ａと、ツェナーダイオード４７、および電流制限抵抗４９との直列回路に接続する。
フォトカップラのトランジスタ側４８ｂがオンすることによって、フォトカップラのトランジスタ側が接続された発振器の出力レベルを下げるように回路を構成することにより、ＥＬディスプレイ１の両端電圧はフォトカップラのＬＥＤ側４８ａとツェナーダイオード４７、および電流制限抵抗４９との直列回路に電流が流れ出す電圧で安定し、ＥＬディスプレイ１の両端電圧を常に一定に保つことができる。
なお、ツェナーダイオードは、ｐｎ接合でツエナー降伏が起こると電流の広い範囲にわたって電圧はほぼ一定に保たれ、この性質を用いた定電圧ダイオードである。
【実施例】
【００３０】  図４は、本発明のＥＬインバータの実施の一例で、その回路をブロック線図で示す。
また、図４の動作タイムチャートを図５に示す。
図４は、図１のＳＷ１〜ＳＷ４で示すＨ形ブリッジ回路１９の部分に、ＦＥＴ素子を用い、図１において高圧可変電源９で示す回路を、低次高調波の低減化や出力電圧の大きさの調整機能を有するＰＷＭ（パルス幅変調；Ｐｕｌｓｅ−Ｗｉｄｔｈ  Ｍｏｄｕｌａｔｉｏｎ）方式を用いた実施例である。
図４に示す回路は、電源に正電位のみを出力する電流可変電源９を使用し、負電位はＨ型ブリッジによって極性を切り替えることで対応し、負電位電源を不要とし、電源の有効利用を行うことと共に、軽量小型化を図ったＥＬインバータの例である。【００３１】  図４に示す回路において、基準電流周波数および基準電流波形の信号を発振器１３で発振させる。
前記信号を基にオン・オフタイミング発生回路１４において、発振器１３の出力が正電位のときは、標記ＦＥＴ３および標記ＦＥＴ６をオンする信号を出力する。
また、発振器１３の出力が負電位のときは、標記ＦＥＴ４および標記ＦＥＴ５をオンする信号を出力する。【００３２】  ＥＬディスプレイはコンデンサとして働くため、前記ＥＬディスプレイ両極に発生する電圧は基準電流周波数より位相が９０度遅れる。
この電圧の極性の検出は、電流制限用抵抗４３と直列に配したフォトカップラ５８ａにて検出する。
ここで検出した極性信号をオン・オフタイミング発生回路１４に入力し、ＦＥＴのオン・オフ信号と合成し、図５に示す動作タイムチャートの電流可変電源の動作信号と電流制限回路の動作信号とを得る。【００３３】  前記電流可変電源の動作信号がオンの期間、電流可変電源９を動作させ、基準電流信号周波数および基準電流波形の絶対値となるように、電流検出抵抗７に発生した電圧と整流回路１０の電圧とを差動アンプ（Ａ）１１で比較し、差信号をフォトカップラ５７ａにより、ＰＷＭコントローラ５５へ入力する。
結果的に負帰還ループを構成し、電流可変電源９から供給する電流は基準電流信号周波数および基準波形と等しくなる。【００３４】  また、前記電流制限回路の動作信号がオンの期間、電流制限回路を作動させ、基準電流信号周波数および基準電流波形の絶対値となるように、電流検出抵抗７に発生した電圧と整流回路１０の電圧とを差動アンプ（Ｂ）１２で比較し、差信号を電流制限用ＦＥＴ４４（標記ＦＥＴ２）に入力する。
結果的に負帰還ループを構成し、電流制限回路に流れる電流は基準電流信号周波数および基準波形と等しくなる。
前記電流は、ＥＬディスプレイ１に流れる電流でもあり、常に基準電流信号周波数および基準電流波形となるように動作する。【００３５】  以上の動作の、前記動作タイムチャートとして図５に示す。
図５の（Ｃ）〜（Ｌ）は、よこ軸に各々同一時間をとり、（Ｃ）、（Ｄ）、（Ｋ）、（Ｌ）についてのたて軸は、時間軸を境にして上が正、下が負を示し、おのおの標記（＋）、（−）で示している。
また、（Ｅ）、（Ｆ）、（Ｇ）、（Ｈ）、（Ｊ）についてのたて軸は、動作状態の時間がオンの場合に、矩形波形としてこれを標記ＯＮ位置に示し、矩形波形がない時間はオフ状態である。【００３６】  図５の（Ｃ）は、図４の発振器１３の出力である基準電流信号周波数と基準電流波形を示し、図５の（Ｄ）は、これを整流回路１０経由の整流出力を示している。
図５の（Ｅ）、（Ｆ）は、図４のオン・オフタイミング発生回路１４の出力を示し、（Ｅ）は標記ＦＥＴ３、６用、（Ｆ）は標記ＦＥＴ４、５用である。
図５の（Ｇ）は、図４のフォトカップラ５８ａの出力であり、（Ｈ）は、電流可変電源９の動作信号であり、（Ｊ）は、電流制限回路の動作信号である。
図５の（Ｋ）は、図４におけるＥＬディスプレイ１に印加される交流電流の位相を示し、図５の（Ｌ）は、ＥＬディスプレイ１に印加される交流電圧の位相を示し、電流に対して電圧の位相が９０度遅れていることを示している。【００３７】  以下に、具体的な実施例を示す。
ＥＬディスプレイとして、面発光タイプの無機のＥＬシートとして、ＳＨＩＮＥ  ＰＨ（プレイハート社製）の、サイズＡ４（２１０×２９７ｍｍ）、およびサイズＡ３（２９７×４２０ｍｍ）を用い、図４に示す回路で発光実験を行った。
ＥＬインバータの方は、図４に示す回路とし、ＦＥＴ素子としては、型式２ＳＫ３３１３（東芝製）を用い、ＰＷＭ集積回路は型式ＵＣ２８４４Ａ（テキサスインスツルメンツ社製）を用いた。【００３８】  前記ＥＬインバータの出力端子に、前記ＥＬシート・サイズＡ４の入力端子を結線し、印加電圧を１９０Ｖとし、図４に示す発振器１３で基準信号電流波形は正弦波として、基準信号電流周波数は８００Ｈｚを発振した。
この結果、前記ＥＬシート・サイズＡ４は、輝度２５０ｃｄ（カンデラ）／ｍ２の発光を得た。【００３９】  次に、前記ＥＬインバータの出力端子に、前記ＥＬシート・サイズＡ３の入力端子を結線し、印加電圧を１９０Ｖとし、発振器１３で基準波形は同じく正弦波として、基準信号電流周波数は１２００Ｈｚを発振した。この結果、輝度において３７０ｃｄ／ｍ２が得られた。
このように、本発明の非誘導性ＥＬインバータでは、発振する基準電流信号周波数を大きく変更しても正常に動作し、周波数に応じた輝度となることが確認できた。
【産業上の利用可能性】
【００４０】  一般に、インバータの負荷が抵抗の如く非誘導性の場合には、前記インバータの電力供給容量を負荷の消費電力容量以上にしておけば対処できる。
しかしながら、現在多用されているＥＬディスプレイ用の自励発振回路式のＥＬインバータにおいては、電力容量的に十分であっても、前記ＥＬディスプレイのコンデンサとしての靜電容量と、前記ＥＬインバータのインダクダンスに由来する特性によって、使用できない場合があった。
例えば、発光面積の大きなＥＬディスプレイ用のＥＬコンバータを、発光面積の小さなＥＬディスプレイに使用すると、周波数が高くなるなど特性が合わずに電力損失が大きくなる、あるいは十分な輝度が得られないなど、また、ＥＬディスプレイの破壊、寿命低下などにつながることがあった。【００４１】  本発明のＥＬインバータによれば、使用しようとするＥＬディスプレイの消費電力に見合う電力供給容量の出力、つまり、それより小さい消費電力のＥＬディスプレイが全てカバーできる。
よって、本発明によれば使用ＥＬディスプレイの消費電力の上限を考慮し、電力供給容量を決めるだけでＥＬインバータの選定ができ、ＥＬインバータの一元化が可能になる。
また、インダクタンスであるコイルやトランスを用いないので、銅線や鉄材の材料の大幅な削減が可能であると共に、ＥＬインバータの体積や重量の軽減ができ、コイルやトランスによる発熱の懸念もなくなる。
【図面の簡単な説明】
【００４２】
【図１】  本発明のＥＬインバータのブロック線図
【図２】  回路を簡略化したＥＬインバータのブロック線図
【図３】  ＥＬディスプレイへの印加電圧安定化回路のブロック線図
【図４】  実施例の説明のためのＥＬインバータのブロック線図
【図５】  動作タイムチャート
【図６】  従来の自励式ＥＬインバータのブロック線図
【符号の説明】
【００４３】  １  ＥＬディスプレイ
７  電流検出抵抗
８  交流入力電源
９  電流可変電源
１０  整流回路
１１  差動アンプ（Ａ）
１２  差動アンプ（Ｂ）
１３  発振器
１４  オン・オフタイミング発生回路
１５  極性検出回路
１６  ＳＷ１、ＳＷ４への出力
１７  ＳＷ２、ＳＷ３への出力
１８  電圧検出回路
１９  Ｈ型ブリッジ回路
２０  バイパス信号
２１  電流制限回路
２２  出力停止信号
２３  正出力
２４  負出力
２５  電流コントロール信号入力
３０  高圧正負両電源
３１  差動アンプ
３２  電力増幅器
４３  電流制限用抵抗
４４  電流制限用ＦＥＴ
４５  電流制限抵抗
４６  整流器
４７  ツェナーダイオード
４８ａ  フォトカップラのＬＥＤ側
４８ｂ  フォトカップラのトランジスタ側
４９  電流制限抵抗
５０  バイパス信号
５５  ＰＷＭコントローラ
５６  ＦＥＴドライバ
５７ａ  フォトカップラのＬＥＤ側
５７ｂ  フォトカップラのトランジスタ側
５８ａ  フォトカップラのＬＥＤ側
５８ｂ  フォトカップラのトランジスタ側
５９ａ  フォトカップラのＬＥＤ側
５９ｂ  フォトカップラのトランジスタ側
７２  トランス
７３  増幅器
７４  主コイル
７５  補助コイル
７６  二次コイル
ＳＷ１〜ＳＷ４  スイッチ
（Ｃ）  基準信号電流周波および基準電流波形
（Ｄ）  整流出力
（Ｅ）  標記ＦＥＴ３、６用オン・オフタイミング発生出力
（Ｆ）  標記ＦＥＴ４、５用オン・オフタイミング発生出力
（Ｇ）  フォトカップラ標記ＰＣ２出力
（Ｈ）  電流可変電源動作信号
（Ｊ）  電流制限回路動作信号
（Ｋ）  ＥＬディスプレイ印加電流周波の位相
（Ｌ）  ＥＬディスプレイ印加電圧周波の位相
【図１】
2005063924.tif 000003
【図２】
2005063924.tif 000004
【図３】
2005063924.tif 000005
【図４】
2005063924.tif 000006
【図５】
2005063924.tif 000007
【図６】
2005063924.tif 000008